(57)【特許請求の範囲】
【請求項１】
フロントケースとリアケースとを固定手段で固定し一端が開放しその他の端部が閉鎖した空間部を形成し、前記閉鎖端から前記開放端に向かって前記空間部の一部に電子機器を収納した本体ケースと、
一端から他端に向かう途中で階段状の段差を設け断面の狭い部分と広い部分とを有しており、段差面の形状を前記本体ケースの開放端側面の形状にほぼ同じくするバッテリケースに収納したバッテリとを備え、
前記バッテリケースの段差面にはバッテリケースの断面の狭い部分に沿ってフックを設け、本体ケースの前記空間部側に前記フックに適合したフック受け部を設け、
前記バッテリケースの断面の狭い部分を前記本体ケースの空間部に開放端から挿入し、前記段差面と前記開放端側面を当接させ、前記フックと前記フック受け部とで前記電子機器を収納した前記本体ケースが前記バッテリケースに収納したバッテリを保持するバッテリ保持構造において、
前記本体ケースと当接する前記段差面に１個以上の凸部又は凹部を設け、前記バッテリケースと当接する前記開放端側面に前記凸部又は凹部と嵌合する凹部又は凸部を設け、
前記フロントケースと前記リアケースとを固定する前記固定手段は、リアケースに設けたねじ、フロントケースに設けたフックおよびリアケースに設けた前記フックを受ける溝からなるとともに、
前記本体ケースと当接する前記バッテリケースの段差面に設ける１個以上の凸部又は凹部がリブであって、前記リブは前記本体ケースと前記バッテリケースとが当接する断面において断面中心より遠い側であって、それぞれの遠い側に２個ずつ設けられ、
前記バッテリケースと当接する前記本体ケースの開放端側面に設ける凹部又は凸部が溝であって、前記溝のうち一対の溝は前記フロントケースと前記リアケースとを固定する前記フックを受ける溝を共用して、他の一対の溝を設けること特徴とするバッテリ保持構造。
【請求項２】
電源搭載構造が組込まれた電子機器であって、前記電源搭載構造に請求項１に記載のバッテリ保持構造を組込んだ電子機器。
【発明の詳細な説明】
【０００１】
【発明の属する技術分野】
この発明は、バッテリ保持構造およびそのバッテリ保持構造を組込んだ電子機器に関する。
【０００２】
【従来の技術】
従来、電子機器の筐体の一つにフロントケース、リアケースおよびバッテリケースからなるものがある。フロントケースとリアケースとで本体ケースを形成し、本体ケースの一部に電子機器を収納する。バッテリケースにはバッテリを収納する。電子機器を収納した本体ケースとバッテリを収納したバッテリケースとを組合せて電子機器を完成させる。このとき本体ケースがバッテリを保持する構造は、バッテリを収納したバッテリケースの一端部を本体ケースに挿入し、バッテリケースに設けたフックと本体ケースに設けたフック受け部とで連携してバッテリを保持するようになっている。図６従来のバッテリ保持構造の概略図および図７組立て後における図６ＡＡ’方向断面図を参照してこのバッテリ保持構造を説明する。
【０００３】
図６に示すように、フロントケース１とリアケース２とを組合わせて固定手段で固定し、一端が開放しその他の端部が閉鎖した空間部を形成するケースを設ける。この組合わされたケースを本体ケース３とよぶ。この固定手段として本体ケース３の開放端から離れた位置で4本のねじ４を用いて、フロントケース１とリアケース２とを固定している。さらに、この固定手段として本体ケースの開放端側でフロントケース１に設けられているケースフック５と、図６では隠れて見えないが、リアケース２に設けたケース溝６とで係着させている。ここで、ねじ４が開放端から離れた位置、すなわち図６で見るとフロントケース１の上部に取り付けられているのは、筐体を細くするためバッテリケース７が収納されるエリアにはそのスペースがないためである。また、ケースフック５とケース溝６とが本体ケース３の開放端近傍に設けられているのは、フロントケース１とリアケース２とが反り返らないようにするためである。
電子機器は、本体ケース３の閉鎖端から開放端に向かってバッテリを挿入する空間を残して、本体ケース３の空間部に収納される。
【０００４】
一方、本体ケース３とは別に、一端が開放し他端が閉鎖した半ケースを２個作り、それぞれの開放端側の形状を同じくしておく。一つの半ケースの中にバッテリを入れて組立て、もう一つの半ケースと開放端同士を重ね合わせ、ケース内部にバッテリが入れられケースで閉鎖されたバッテリを用意する。この２つの半ケースを組合せて内部にバッテリを収納したケースをバッテリーケース７とよぶ。このとき、バッテリとしてはニッケルカドミウム電池あるいはニッケル水素電池などが用いられる。バッテリを入れバッテリケース７に組み上げた後は、半ケース同士を溶着する。したがって、完成された電子機器を不用意に落としたり、あるいは故意にバッテリケース７をこじ開けようとしたりしても、バッテリケース７が開くことは無く、容易にバッテリを取り出せないようにしてある。
【０００５】
図６に示すように、バッテリケース７の外形は一端から他端に向かう途中で階段状の段差を設けている。そのためバッテリケース７は断面の広い部分と狭い部分とを有している。この段差面８の形状は、本体ケースの開放端側面の形状とほぼ同じくしてある。したがって、バッテリケース７の断面の狭い部分の断面形状は本体ケースの開放端の空間部の断面形状と同じかやや小さめかになる。
バッテリケース７の段差面８には断面形状の狭い部分に沿ってケースつまみ１０を挟んでフックが２個設けられている。このフックをロックフック９とよぶ。他方、本体ケースにはロックフック９と嵌合するフック受け部１１が、図６では隠れてみえないが、本体ケース３の空間部側に設けられている。
【０００６】
図６の矢印で示す方向に、指で操作し易いように設けたバッテリつまみ１０を持って、バッテリケース７の断面の狭い部分を本体ケース３の開放端から本体ケース３の空間部に入れ、本体ケース３の開放端側面とバッテリケース７の段差面８とを当接させる。これと同時に、ロックフック９は、バッテリつまみ１０と共にわずかに弾性的に曲がり、本体ケース３の空間部に挿入される。図７組立て後における図6のＡＡ’方向断面図に示すように、ロックフック９とフック受け部１１とが連携してロックされ、電子機器を収容した本体ケース３がバッテリを保持する。
【０００７】
【発明が解決しようとする課題】
しかし、モバイル用の電子機器では、使用者が電子機器を高所から落したり、あるいは本体ケース３とバッテリケース７とを捩じったりすることが起こりやすい。図８に示すように、このようなとき本体ケース３とバッテリとの間で相対的に強い回転力を受け、強い回転力を受けるとフロントケース１とリアケース２とを止めていたケースフック５が損傷を受け、図９に示すように、フロントケース１とリアケース２とが反り返り、バッテリケース７をも含めたそれぞれのケース間に隙間ができるという問題点があった。なお、バッテリがバッテリケースに組立てられた後は、バッテリとバッテリケース７とは固定され一体となっているので、バッテリケース７と本体ケース３との相対的回転力と、バッテリと本体ケース３との相対的回転力とは、同じことになる。
本発明は、上記の問題点に鑑みなされたもので、本体ケース３とバッテリ７との間で強い相対的回転力が生じても、フロントケース１にあるケースフック５の損傷を防止する手段を提供することを目的とする。
【０００８】
【課題を解決するための手段】
本発明は上記の課題を解決するために次のような手段を設ける。
フロントケースとリアケースとを固定手段で固定し一端が開放しその他の端部が閉鎖した空間部を形成し、閉鎖端から開放端に向かって空間部の一部に電子機器を収納した本体ケースを準備する。また、一端から他端に向かう途中で階段状の段差を設け断面の狭い部分と広い部分とを有しており、段差面の形状を本体ケースの開放端側面の形状にほぼ同じくしたバッテリケースに収納したバッテリを準備する。
バッテリケースの段差面にはバッテリケースの断面の狭い部分に沿ってフックを設け、本体ケースの空間部側にフックに適合したフック受け部を設けている。
バッテリケースの断面の狭い部分を本体ケースの空間部に開放端から挿入し、段差面と開放端側面を当接させ、フックとフック受け部とで電子機器を収納した本体ケースがバッテリケースに収納したバッテリを保持する。
以上のようなバッテリ保持構造において、本体ケースと当接する段差面に１個以上の凸部又は凹部を設け、バッテリケースと当接する開放端側面に前記凸部又は凹部と嵌合する凹部又は凸部を設け、フロントケースとリアケースとを固定する固定手段は、リアケースに設けたねじ、フロントケースに設けたフックおよびリアケースに設けたフックを受ける溝からなるとともに、本体ケースと当接するバッテリケースの段差面に設ける１個以上の凸部又は凹部がリブであって、このリブは本体ケースとバッテリケースとが当接する断面において断面中心より遠い側であって、それぞれの遠い側に２個ずつ設けられ、バッテリケースと当接する本体ケースの開放端側面に設ける凹部又は凸部が溝であって、溝のうち一対の溝はフロントケースとリアケースとを固定するフックを受ける溝を共用して、他の一対の溝を設けることを特徴とするバッテリ保持構造である。
さらに、上述のバッテリ保持構造を組込んだ電子機器である。
【０００９】
【発明の実施の形態】
図面を参照して、本発明の実施の形態を実施例に基づき説明する。電子機器としてモバイル用無線機に本発明を適用する。本発明は従来技術のバッテリ保持構造に附加する手段を設けたものであるから、前述の従来技術で説明した部分は、実施の形態においても適用される。したがって、従来技術の説明との重複を避けるため、従来技術で述べた部分を前提として本発明の実施の形態を説明し、従来技術で述べた部分は必要最小限の説明にとどめる。なお、従来技術の部材と同じ部材には、従来技術と同じ名称および符号を付す。
【００１０】
図１は本発明によるバッテリ保持構造の概略図であり、図２および図３は図１のバッテリ保持構造の正面図および側面図である。
図１は、本体ケースを上部に置き、その下部にバッテリを置いて、バッテリケース７の断面の狭い部分を上とし断面の広い部分を下としてバッテリを置ている。本体ケースの開放端から（図１の下方から上方を見る）見た断面形状は角に丸みを持ったほぼ長方形に近いもので、開放端側面がほぼ長方形の閉じた帯び状なってバッテリケース７の段差面８と対向している。バッテリが収納されたバッテリケース７は、断面の狭い部分を本体ケースの開放端からその空間部に一部挿入している。バッテリケース７の段差面８の長辺側には、図１では隠れて見えないが、図６で示したロックフック９とケースつまみ１０とがある。
【００１１】
同じくバッテリケース７の段差面８であって、相対向するそれぞれの短辺側にはそれぞれ2個ずつのリブ１２を、新たに、リアケース２側とフロントケース１側に設けている。ここで、短辺側に設けたのは、本体ケース３とバッテリ７との間の相対的な回転力に抗するためであるので、回転中心から離れていたほうが良いためである。また、リアケース２側とフロントケース１側にそれぞれ設けたのは、リブ１２と溝６、１３との協働により、リアケース２側ではバッテリケース７がフロントケース１側に動くのを防ぐためであり、フロントケース１側では仮にケースフック５が折れても隙間ができないようにするためである。
【００１２】
リブ１２の断面形状は四角でも円でもその他の形状でも良いが、リブ１２の断面の大きさは、本体ケース３の開放端側面に設ける溝１３でリブ１２を受けるのであるからの開放端側面の厚さより小さいものである。また後述するように、リブ１２を受ける溝としてケース溝６を共用するので、一対のリブの断面形状はケース溝６と適合したものにしなければならい。
同じく、一対のリブ１２の高さは、リブ１２を受ける溝としてケース溝６を共用するので、ケースフック５の位置により制限を受ける。
なお、ケース溝６の共用の点については後述する。
リブ１２の先端には傾斜を付け、先にいくほど薄くする。これにより本体ケース３の開放端側面に設ける溝６、１３に挿入し易くするためである。
【００１３】
他方、本体ケース３は、樹脂製であるフロントケース１とアルミダイキャスト製であるリアケース２とを組合わせて作られている。従来技術で説明したように、リアケース２の開放端近くにはケースフック５を受けるケース溝６がある。このケース溝６はリブ１２を受ける溝として共用されるものである。
ここで、ケース溝６について説明する。図４に示すように、このケース溝６は左右逆のＬ字状であって、Ｌ字の下部の横一部がＬ字の上部の縦一部より幾分深めになっている。深めになっているのはケースフック５の曲がり部を受けるためである。また、Ｌ字の下部の横一部は開放端から閉鎖端に向かって設けられている。このケース溝６がリアケース２の開放端から設けられるのは、フロントケース１とリアケース２とを組立てるときフロントケース１にあるケースフック５を開放端から滑らして挿入でき、組立てを容易にするためである。
【００１４】
したがって、本体ケース３がバッテリケース７と当接する開放端側面の短辺側には既にケース溝６がそれぞれ一つずつある。バッテリケース７の段差面８にある4個のリブ１２のうち2個のリブ１２を受ける溝として、既にあるケースフック５を受けるケース溝６を共用する。残り2個のリブ１２を受ける溝１３は、リブ１２に対応して本体ケース３の開放端側面に新たに設けられる。短辺側にある2個のリブ１２は間隔を置いて設けられているので、新たに設ける溝１３はフロントケース１側に設けられる。
【００１５】
図１に示すように、バッテリケース７の断面の狭い部分を本体ケース３の開放端から挿入し、バッテリケース７の段差面８と本体ケースの開放端側面とを当接させると、従来技術で述べたように、ロックフック９も本体ケース３の空間部に挿入される。ロックフック９とロックフック受け部１１とが連携してロックされ、電子機器を収容した本体ケース３がバッテリを収納したバッテリケース７を保持する。と同時にバッテリケース７の段差面８に設けられたリブ１２が本体ケース３の開放端側面にある溝６、１３にそれぞれ嵌入される。
【００１６】
組立てられた無線機に対して本体ケース３とバッテリとの間に相対的回転力加わると、図５の拡大部分の矢印で示すように、回転力は本体ケース３の溝６、１３の側壁とリブ１２との間で相対的な動きになる。しかし、ケース溝６とリブ１２とにより、バッテリケース７がフロントケース１に行く動きを防ぐことになる。したがってケースフック５には外力が加わりにくくなり、ケースフック５は折れにくくなる。溝６とリブ１２とは仮にケースフック５が折れてもケース間の隙間を最小に保つ働きを持つことになる。このため、相対的回転力が加わってもそれぞれのケース間に隙間ができるようなことを防止できる。
【００１７】
【発明の効果】
フロントケースとリアケースとを固定手段で固定した本体ケースに電子機器を収納し、本体ケースの開放端からバッテリケースに組立てられたバッテリの一部を本体ケースに挿入し、本体ケースの開放端側面とバッテリケースの段差面とを当接させ、本体ケースとバッテリケースとをフックとフック受け部とで保持するバッテリ保持構造において、バッテリケースの段差面に1個以上の凸部又は凹部を設け、本体ケースの開放端側面に前記凸部又は凹部と嵌合する凹部又は凸部を設ける。本体ケースとバッテリとの間に相対的回転力が加わったとき、この凸部、凹部の嵌合接触面で回転力に抵抗させる。このため、フロントケースとリアケースとを固定しているケースフックが損傷して、フロントケースとリアケースとが反り返って隙間ができるようなことを防止できる。
【図面の簡単な説明】
【図１】本発明によるバッテリ保持構造の概略図。
【図２】図１のバッテリ保持構造の正面図。
【図３】図１のバッテリ保持構造の側面図。
【図４】本発明のリブを受ける溝の概略図。
【図５】本発明によるバッテリ保持構造を組込んだ電子機器の組立て後の断面図。
【図６】従来のバッテリ保持構造の概略図。
【図７】組立て後おける図6のＡＡ’方向断面図。
【図８】本体ケースとバッテリの相対的回転力の説明図。
【図９】ケースフック破損後のフロントとリアケースとの反り返りの状態を示す図。
【符号の説明】
１  フロントケース
２  リアケース
３  本体ケース
４  ねじ
５  ケースフック
６  ケース溝
７  バッテリケース
８  段差面
９  ロックフック
１０  ケースつまみ
１１  フック受け部
１２  リブ
１３  溝
【図１】
0003742972.tif 000002
【図２】
0003742972.tif 000003
【図３】
0003742972.tif 000004
【図４】
0003742972.tif 000005
【図５】
0003742972.tif 000006
【図６】
0003742972.tif 000007
【図７】
0003742972.tif 000008
【図８】
0003742972.tif 000009
【図９】
0003742972.tif 000010